(57)【特許請求の範囲】
【請求項１】
対向面に突出した一対のフィンによってそれぞれ受入溝を形成した上下共通の対向枠と，上記受入溝に長手方向端部を受入れ上記対向面との間に傾斜回動を許容する離隔間隔を配置して該対向枠にそれぞれ長手方向両端部を回動自在に軸支固定して傾斜回動自在の面体をなす多数の仕切体とを備えて傾斜地設置用とするとともに前後方向及び傾斜方向双方の透視を防止したフェンスであって，上記仕切体を，中空矩形の断面形状をなす中空基部と，該中空基部における対向側面の前後中間位置に前後に僅少変位した相互の位置関係を有するように同幅にして中空基部の長手方向全長に突出して上記面体において隣接相互に近接して前後に重合する平行な前後方向目隠し用の張出フィンと，該張出フィンの各先端に前後逆方向に交差小突出して上記面体において垂直状態で隣接相互に近接対向し傾斜回動状態で隣接相互に離隔対向することによって上記僅少変位の幅を埋めて張出フィン相互の部分的な重合状態を常に維持して左右に対面状に対向する傾斜方向目隠し用の先端リブとを備えて形成してなることを特徴とする傾斜地用ブラインドフェンス。
【請求項２】
上記対向枠を上下の横枠とし上記仕切体を縦仕切体とすることによって上記横枠を傾斜配置し且つ縦仕切体を垂直配置するように用いる縦フェンスとしてなることを特徴とする請求項１に記載の傾斜地用ブラインドフェンス。
【発明の詳細な説明】
【０００１】
【発明の属する技術分野】
本発明はフェンスに関し，特に傾斜地に設置して内外の仕切を行なうようにした傾斜地用ブラインドフェンスに関する。
【０００２】
【従来の技術及び発明が解決しようとする課題】
この種傾斜地用のフェンスとして，対向枠と，該対向枠にそれぞれ長手方向両端部を回動自在に軸支固定して傾斜角度自在に配置した小桟，例えば縦小桟とを備え，傾斜地に応じて傾斜させ，支柱を介して設置するようにしたものが知られている。
【０００３】
この場合傾斜地に適応可能となるが，多数の小桟によって仕切を行なうものであり，ありふれたデザインのものとならざるを得ないし，内外が透視されることになるから，内外を仕切るフェンスとして目隠し作用を持つものともなし得ない。
【０００４】
本発明はかかる事情に鑑みてなされたもので，その解決課題とするところは，斜め前方，上方前方等のフェンスに対して斜め方向の位置からも内部の透視を防止し，見る角度を問わずに常に単一のブラインド面をなすようにして目隠し作用を完全に果すとともに傾斜地に応じた傾斜角度自在の設置を可能とする傾斜地用ブラインドフェンスを提供するにある。
【０００５】
【課題を解決するための手段】
上記課題に沿って本発明は，フェンスを，対向枠とこれに回動自在に軸支固定した仕切体を備えることによって，仕切体の傾斜角度を自在とする一方，仕切体を，中空基部と該中空基部から両側に同幅に張出突出した両側の張出フィンとによって面体をなすように形成し且つ上記両側の張出フィンを前後に変位した位置関係を有するようにして，隣接する仕切体の張出フィン同士が相互に部分的に前後に重合した状態で傾斜角度を自在とするとともに各仕切体間を塞いで正面乃至背面からの透視を阻害し，また上記両側の張出フィンの各先端に上記変位幅を埋めるように前後逆方向に向けて交差小突出する先端リブを配置することによって，各張出フィンの補強を行なうとともに上記部分的な前後の重合による張出フィン間の変位幅に応じて生じる僅少空隙を塞いでフェンスに対する斜め方向の位置からの透視を阻止するようにしたものであって，即ち請求項１に記載の発明を，対向面に突出した一対のフィンによってそれぞれ受入溝を形成した上下共通の対向枠と，上記受入溝に長手方向端部を受入れ上記対向面との間に傾斜回動を許容する離隔間隔を配置して該対向枠にそれぞれ長手方向両端部を回動自在に軸支固定して傾斜回動自在の面体をなす多数の仕切体とを備えて傾斜地設置用とするとともに前後方向及び傾斜方向双方の透視を防止したフェンスであって，上記仕切体を，中空矩形の断面形状をなす中空基部と，該中空基部における対向側面の前後中間位置に前後に僅少変位した相互の位置関係を有するように同幅にして中空基部の長手方向全長に突出して上記面体において隣接相互に近接して前後に重合する平行な前後方向目隠し用の張出フィンと，該張出フィンの各先端に前後逆方向に交差小突出して上記面体において垂直状態で隣接相互に近接対向し傾斜回動状態で隣接相互に離隔対向することによって上記僅少変位の幅を埋めて張出フィン相互の部分的な重合状態を常に維持して左右に対面状に対向する傾斜方向目隠し用の先端リブとを備えて形成してなることを特徴とする傾斜地用ブラインドフェンスとし，請求項２に記載の発明を，上記対向枠を上下の横枠とし上記仕切体を縦仕切体とすることによって上記横枠を傾斜配置し且つ縦仕切体を垂直配置するように用いる縦フェンスとしてなることを特徴とする請求項１に記載の傾斜地用ブラインドフェンスとしたものである。
【０００６】
【発明の実施の形態】
以下図面の例に従って本発明を更に具体的に説明すれば，Ａは，例えばアルミ押出材を用いて構成した傾斜地用ブラインドフェンスであり，該フェンスＡは，対向面に突出した一対のフィンによってそれぞれ受入溝を形成した上下共通の対向枠と，上記受入溝に長手方向端部を受入れ上記対向面との間に傾斜回動を許容する離隔間隔を配置して該対向枠にそれぞれ長手方向両端部を回動自在に軸支固定して傾斜回動自在の面体をなす多数の仕切体とを備えて傾斜地設置用とするとともに前後方向及び傾斜方向双方の透視を防止したものとしてあり，本例にあって上記対向枠１を上下の横枠とし上記仕切体２を縦仕切体とすることによって上記横枠１を傾斜配置し且つ縦仕切体２を垂直配置するように用いる縦フェンスとしたものとしてあり，例えば上下方向又は上下前後方向に傾斜角度を自在として端部を連結可能なジョイント部材３を用いて上記上下の横枠１を端部連結することによってフェンスＡを幅方向に一連に連結し，所定間隔の支柱４を介して傾斜地にその角度に応じて設置するものとしてある。
【０００７】
このときフェンスＡにおける上記仕切体２は，これを，中空矩形の断面形状をなす中空基部２１と，該中空基部２１における対向側面の前後中間位置に前後に僅少変位した相互の位置関係を有するように同幅にして中空基部２１の長手方向全長に突出して上記面体において隣接相互に近接して前後に重合する平行な前後方向目隠し用の張出フィン２２と，該張出フィンの各先端に前後逆方向に交差小突出して上記面体において垂直状態で隣接相互に近接対向し傾斜回動状態で隣接相互に離隔対向することによって上記僅少変位の幅を埋めて張出フィン２２相互の部分的な重合状態を常に維持して左右に対面状に対向する傾斜方向目隠し用の先端リブ２３とを備えて形成し，これによってフェンスＡを，上記前後方向と傾斜方向双方の透視を防止したブラインドフェンスとしてある。
【０００８】
即ち本例において横枠１は，中空矩形の断面形状にして対向面に一対のフィン１１を突出し，対向する上下を共通としたアルミ押出材の成型材によって上下共通の枠として構成し，その上記一対のフィン１１により形成される溝を受入溝とし，該溝内に仕切体２における中空基部２１の長手方向端部を受入れ，フィン１１，例えば背面側のフィンと仕切体２とを，例えばリベット止めすることによって，該仕切体２を横枠１に回動自在に軸支固定したものとしてある。
【０００９】
一方仕切体２，即ち縦仕切体は，本例にあって中央位置の中空基部２１と該中空基部２１の両側に，その幅方向，即ち側方に向けて突出した上記張出フィン２２を備えて，同じくアルミ押出材の成型材によりフェンスＡにおける全部の仕切体２に共通材として構成してあり，このとき上記中空基部２１は，例えばこれを中空矩形の断面形状にしてその側面の前後中間位置から交差方向，即ち左右方向に向けて同幅にして，本例にあって垂直な平面をなすように張出フィン２２を突出したものとしてあり，一方該張出フィン２２は上記基部２１の側面からの突出を，前後に変位した位置関係を有するようにして隣接する仕切体２の張出フィン２２が部分的に前後に重合するようにし，これによってフェンスＡの正面乃至背面側，即ち前後方向からの透視を防止して，該フェンスＡをブラインドフェンスとするようにしてあり，本例にあって該前後に変位した位置関係は，例えば張出フィン２２間に１〜２ｍｍ程度の僅少間隔を確保し得るようにした変位幅の位置関係をなすものとしてあり，例えばこのように変位幅を設定することによって，隣接する仕切体２の張出フィン２２同士の上記重合を可及的に近接した状態とし，張出フィン２２間に大きな段差を生じて外観が煩雑な印象となるのを防止するようにしてある。
【００１０】
一方張出フィン２２の先端リブ２３は，上記部分的に前後に重合した張出フィン２２間に双方の張出フィン２２先端からそれぞれ重合する他方の張出フィン２２側に向かうように両側において前後逆方向に向けて小突出したものとしてあり，本例にあって該先端リブ２３の突出は，これを上記部分的に前後に重合する張出フィン２２間の僅少間隔に相当する変位幅を埋めるように，重合他方の張出フィン２２に対して，可及的に近接し接触を避ける程度の僅少空隙を残し又は軽く接触する程度に，張出フィン２２からそれぞれ前後逆方向に小突出したものとしてあり，これによって上記傾斜回動を阻害したりするのを防止するとともに該先端の先端リブ２３が張出フィン２２間の上記間隔を埋めることによって，フェンスＡの斜め前方等の斜め方向からの透視を防止して，上記ブラインドフェンスとしてのブラインド性を高度に確保したものとしてあり，このとき先端リブ２３が張出フィン２２との間に僅少空隙を残しているが，該空隙は重合他方の張出フィン２２の先端リブ２３が逆方向に突出したものであることによって，空隙が前後交互に生じる結果，そのブラインド性を損なうことがない。またこのとき先端リブ２３は，張出フィン２２の先端にその長手方向全長に配置されるから，それぞれ張出フィン２２を補強して，張出フィン２２補強用の補強リブとしての作用を果すものとなる。
【００１１】
本例の仕切体２は，例えば上記中空基部２１を，前後長さ２ｃｍ程度，横幅１．５ｃｍ程度，張出フィン２２を，肉厚１ｍｍ程度にして突出幅２ｃｍ程度，先端の先端リブ２３を，上記張出フィン２２の肉厚を入れて１．５ｍｍ程度とし，全体の横幅を６ｃｍ程度としたものとしてあり，このとき仕切体２の横枠１への配置は，張出フィン２２を垂直とした状態で，図４に示すように，先端リブ２３同士が近接対向する状態とし，傾斜回動した状態で，図５に示すように，先端リブ２３が離隔対向し，傾斜回動に伴う張出フィン２２同士の上記部分的な重合状態を常に維持するようにしてあり，このとき本例のフェンスＡにあって傾斜回動は，垂直の状態からその両側にそれぞれ，例えば３０度程度の角度で行うようにしてあり，該傾斜回動の角度は，仕切体２の上記横枠への軸支固定に際して，仕切体２の上下端と横枠１の対向面との間に配置した離隔間隔により，該上下端が対向面に当接するまで傾斜回動を許容するようにすることによって設定したものとしてある。
【００１２】
図中３１は，上記ジョイント部材３における連結基体，３２は該連結基体３１に一端を回動自在に連結し他方を横枠１端部に連結し，連結基体３１に対して回動することによってフェンスＡの回動連結をなし得るようにした回動連結部材，３３は上下のジョイント部材３間に配置することによってその間に生じる空隙を閉塞する，本例においてフェンスＡの仕切体２と同様な外観を呈するようにした連結部の閉塞体をそれぞれ示す。
【００１３】
図示した例は以上のとおりとしたが，上記対向枠を左右の縦枠とし上記仕切体を横仕切体とすることによって上記縦枠を垂直配置し且つ横仕切体を傾斜配置するように用いる横フェンスとして構成すること，このとき必要に応じて上下端部を画するように横枠を設置すること，仕切体の基部を厚肉部，前後方向に向けて開口する断面コ字状等の適宜の形状のものとすること，張出フィンを前後に幾分波状のものとすること等を含めて，本発明の実施に当って，対向枠，仕切体，その中空基部，張出フィン，先端リブ等の各具体的形状，構造，材質，これらの関係，これらに対する付加，フェンスの連結乃至設置形態等は，上記発明の要旨に反しない限り様々な形態のものとすることができる。
【００１４】
【発明の効果】
本発明は以上のとおりに構成したから，フェンスを，対向枠とこれに回動自在に軸支固定した仕切体を備えることによって，仕切体の傾斜角度を自在とする一方，仕切体を，中空基部と該中空基部から両側に同幅に張出突出した両側の張出フィンとによって面体をなすように形成し且つ上記両側の張出フィンを前後に変位した位置関係を有するようにして，隣接する仕切体の張出フィン同士が相互に部分的に前後に重合した状態で傾斜角度を自在とするとともに各仕切体間を塞いで正面乃至背面からの透視を阻害し，また上記両側の張出フィンの各先端に上記変位幅を埋めるように前後逆方向に向けて交差小突出する先端リブを配置することによって，各張出フィンの補強を行なうとともに上記部分的な前後の重合による張出フィン間の変位幅に応じて生じる僅少空隙を塞いでフェンスに対する斜め方向の位置からの透視を阻止するようにし，斜め前方，上方前方等のフェンスに対して斜め方向の位置からも内部の透視を防止し，見る角度を問わずに常に単一のブラインド面を呈して目隠し作用を完全に果すとともに傾斜地に応じた傾斜角度自在の設置を可能とする傾斜地用ブラインドフェンスを提供することができる。
【図面の簡単な説明】
【図１】  フェンスの正面図である。
【図２】  フェンスの横断面図である。
【図３】  仕切体の横断面図である。
【図４】  垂直状態の仕切体の関係を示す拡大横断面図である。
【図５】  傾斜回動状態の仕切体の関係を示す拡大横断面図である。
【図６】  フェンスの連結設置状態を示す正面図である。
【符号の説明】
Ａ  フェンス
１  横枠
２  仕切体
２１  中空基部
２２  張出フィン
２３  先端リブ
【図１】
0004167402.tif 000002
【図２】
0004167402.tif 000003
【図３】
0004167402.tif 000004
【図４】
0004167402.tif 000005
【図５】
0004167402.tif 000006
【図６】
0004167402.tif 000007